(57)【要約】【課題】ＨＡＢの機能を活用しながら外部の画像表示装置で見る人に気分が悪くなるおそれがなくなるような電子機器とその電子機器の出力制御方法を提供すること。【解決手段】表示部７に表示される画像情報を当該機器、例えばデジタルカメラ１の移動に連動して変化させる場合は、その変化する画像情報を外部に出力する出力手段例えばＡＶ信号出力端子２９による出力を制御する手段を具備することとしたので、通常の画像を今まで通りＡＶ信号出力端子２９経由で外部の大画面の画像表示装置例えばテレビ３に表示できる一方で、例えばＨＡＢ機能によるスクロール中の画像は、ＡＶ信号出力端子２９経由で外部の大画面のテレビ３に表示させることを制御できる。【選択図】  図１
2005004081.tif 000002
【特許請求の範囲】
【請求項１】
画像情報を表示する表示部と、
前記表示部により表示される画像情報を当該機器の移動に連動して変化させる手段と、
前記表示部により表示される画像情報を外部に出力する出力手段と、
前記表示部に表示される画像情報が当該機器の移動に連動して変化する場合に、前記出力手段からの画像情報の出力を制御する手段と
を具備することを特徴とする電子機器。
【請求項２】
請求項１に記載の電子機器において、
前記制御手段は、前記画像情報の前記出力手段による出力を停止させることを特徴とする電子機器。
【請求項３】
請求項１に記載の電子機器において、
前記制御手段は、前記表示部に表示される画像情報に替えて前記画像情報と異なる画像情報を前記出力手段により出力することを特徴とする電子機器。
【請求項４】
請求項３に記載の電子機器において、
前記出力手段により出力させるメッセージ情報を予め記録する記録手段を更に有し、
前記異なる画像情報は、前記記録手段に記録されたメッセージ情報であることを特徴とする電子機器。
【請求項５】
請求項３に記載の電子機器において、
前記変化手段は、前記画像情報を含みかつ前記表示部に全体は表示されない仮想的画面上を当該機器の移動に連動してスクロールするものであり、
前記異なる画像情報は、前記仮想的画面とその仮想的画面上にスクロールさせて前記表示部に表示される画像情報の領域を定める枠とからなることを特徴とする電子機器。
【請求項６】
請求項１に記載の電子機器において、
前記変化手段は、当該機器の移動に連動して前記画像情報を拡大或は縮小させるものであることを特徴とする電子機器。
【請求項７】
（ａ）画像情報を表示部に表示するステップと、
（ｂ）前記表示部により表示される画像情報を当該機器の移動に連動して変化させるステップと、
（ｃ）前記表示部により表示される画像情報を外部に出力するステップと、
（ｄ）前記表示部に表示される画像情報が当該機器の移動に連動して変化する場合に、前記画像情報の外部への出力を制御するステップと
を具備することを特徴とする電子機器の出力制御方法。
【発明の詳細な説明】
【０００１】
【発明の属する技術分野】
本発明は、表示部を有する電子機器及びその電子機器の出力制御方法に関する。
【０００２】
【従来の技術】
従来の画像表示部（ＬＣＤ（Ｌｉｑｕｉｄ  Ｃｒｙｓｔａｌ  Ｄｉｓｐｌａｙ）など）を有する電子機器（例えば、ビデオカメラ、デジタルカメラ、ポータブルビデオビューワー、ＰＤＡ（Ｐｅｒｓｏｎａｌ  Ｄｉｇｉｔａｌ  Ａｓｓｉｓｔａｎｔｓ）など）では、その内蔵された表示部で画像を見るだけでなく、その本体に内蔵されるＡＶ信号（オーディオ信号及び映像信号）出力端子などに、ケーブルを接続することにより外部の画像表示装置（ＴＶなど）にも画像を映し出して見る場合がある。
【０００３】
一方、電子機器本体の移動に連動して電子機器内蔵の画像表示部に表示される画像内容が変化するヒューマンインターフェース（以下「ＨＡＢ」（ＨｕｍａｎＡｕｇｍｅｎｔｅｄ  Ｂｒｏｗｓｅｒ）という。）を使用し、その画像表示部に表示される画像を本体の移動に応じてスクロールさせ、そのスクロールする仮想的画面の一部領域の画像を画像表示部に表示させることも行われるようになってきている。
（例えば、特許文献１参照。）。
【０００４】
【特許文献１】
特開１０−２５４６１４号公報（段落［００１２］及び［０１２４］、図３）。
【０００５】
【発明が解決しようとする課題】
しかしながら、ＨＡＢのような電子機器本体を上下左右前後に動かしながら操作するインターフェースを持つ電子機器において、本体内蔵の画像表示部に表示される例えばスクロール中の画像をそのまま、ＡＶ信号の出力端子経由で外部の大画面の画像表示装置に表示すると、その画像を見ている人の視覚を通して平衡感覚に作用し、その見方により乗り物酔いに似たような状態になり人によっては気分が悪くなる恐れがあるという問題があった。
【０００６】
本発明は、上述の課題に鑑みてなされるもので、ＨＡＢの機能を活用しながら外部の画像表示装置で見る人に気分が悪くなるおそれがなくなるような電子機器とその電子機器の出力制御方法を提供することを目的とする。
【０００７】
【課題を解決するための手段】
上記目的を達成するために、本発明の主たる観点に係る電子機器は、画像情報を表示する表示部と、前記表示部により表示される画像情報を当該機器の移動に連動して変化させる手段と、前記表示部により表示される画像情報を外部に出力する出力手段と、前記表示部に表示される画像情報が当該機器の移動に連動して変化する場合に、前記出力手段からの画像情報の出力を制御する手段と
を具備することを特徴とする。
【０００８】
ここで、「当該機器」とは、例えば内蔵表示部を有するデジタルカメラなどをいう。
【０００９】
本発明では、表示部に表示される画像情報を当該機器の移動に連動して変化させる場合は、その変化する画像情報を外部に出力する出力手段例えばＡＶ信号出力端子による出力を制御する手段を具備することとしたので、通常の画像を今まで通りＡＶ信号出力端子経由で外部の大画面の画像表示装置に表示できる一方で、例えばＨＡＢ機能によるスクロール中の画像は、ＡＶ信号出力端子経由で外部の大画面の画像表示装置に表示させることを制御できる。これにより、例えば電子機器であるデジタルカメラのＡＶ信号の出力端子経由で外部の大画面の画像表示装置を見る人に、船酔いのような状態にさせることがなくなり、ＨＡＢ機能付の電子機器であっても安心して大画面でその画像情報を楽しむことができる。
【００１０】
本発明の一の形態によれば、前記制御手段は、前記画像情報の前記出力手段による出力を停止させることを特徴とする。これにより、例えばＨＡＢ機能によるスクロール中の画像を、ＡＶ信号の出力端子経由で外部の大画面の画像表示装置に表示させないようにでき、確実に外部の大画面の画像表示装置を見る人に、船酔いのような状態にさせることを防げる。
【００１１】
本発明の一の形態によれば、前記制御手段は、前記表示部に表示される画像情報に替えて前記画像情報と異なる画像情報を前記出力手段により出力することを特徴とする。これにより、例えばＨＡＢ機能によるスクロール中の画像を、ＡＶ信号の出力端子経由で外部の大画面の画像表示装置に表示させないようにでき、確実に外部の大画面の画像表示装置を見る人に、船酔いのような状態にさせることを防げると共に、更に任意の画像情報をＡＶ信号の出力端子経由で外部の大画面の画像表示装置に表示させることができ、種々の情報を提供できて利便性が増す。
【００１２】
本発明の一の形態によれば、前記出力手段により出力させるメッセージ情報を予め記録する記録手段を更に有し、前記異なる画像情報は、前記記録手段に記録されたメッセージ情報であることを特徴とする。これにより、例えばスクロール中の画像をＡＶ信号の出力端子経由で外部の大画面の画像表示装置に表示させないようにできるだけでなく、なぜ画像情報が表示されないか等の事情説明や対応方法等のメッセージ等を外部の大画面に表示できるので、見る人に現在の状況が容易に把握できる等の利便性が高まる。
【００１３】
本発明の一の形態によれば、前記変化手段は、前記画像情報を含みかつ前記表示部に全体は表示されない仮想的画面上を当該機器の移動に連動してスクロールするものであり、前記異なる画像情報は、前記仮想的画面とその仮想的画面上にスクロールさせて前記表示部に表示される画像情報の領域を定める枠とからなることを特徴とする。これにより、電子機器のＡＶ信号の出力端子経由で外部の大画面の画像表示装置に表示させる例えばスクロールして表示部に表示される領域を定める枠は、その領域を含む仮想的画面上を移動するだけでその枠の中に表示される画像情報も含め、周りの仮想的画面は変化しないので、外部の大画面を見る者も船酔いを心配せず安心してその画像情報を楽しむことができる。しかも、本体の移動に連動して枠が移動するので、今どこを選択しているのかなどを外部の大画面を見る者も知ることができることとなる。
【００１４】
本発明の一の形態によれば、前記変化手段は、当該機器の移動に連動して前記画像情報を拡大或は縮小させるものであることを特徴とする。これにより、例えばＨＡＢ機能を用いて表示部に表示された画像情報を拡大したり、縮小したりするときもその変化する画像情報は電子機器のＡＶ信号の出力端子経由で外部の大画面の画像表示装置に表示させないようにできるので、外部の大画面を見る者も船酔いのような状態を心配せず安心してその画像情報を楽しむことができる。
【００１５】
本発明の他の観点にかかる電子機器の出力制御方法は、（ａ）画像情報を表示部に表示するステップと、（ｂ）前記表示部により表示される画像情報を当該機器の移動に連動して変化させるステップと、（ｃ）前記表示部により表示される画像情報を外部に出力するステップと、（ｄ）前記表示部に表示される画像情報が当該機器の移動に連動して変化する場合に、前記画像情報の外部への出力を制御するステップとを具備することを特徴とする。
【００１６】
本発明では、表示部に表示される画像情報を当該機器の移動に連動して変化させる場合は、その変化する画像情報を外部に出力するステップ例えばＡＶ信号出力端子による出力を制御するステップを具備することとしたので、通常の画像を今まで通りＡＶ信号出力端子経由で外部の大画面の画像表示装置に表示できる一方で、例えばＨＡＢ機能によるスクロール中の画像は、ＡＶ信号出力端子経由で外部の大画面の画像表示装置に表示させることを制御できる。これにより、例えば電子機器であるデジタルカメラのＡＶ信号の出力端子経由で外部の大画面の画像表示装置を見る人に、船酔いのような状態にさせることがなくなり、ＨＡＢ機能付の電子機器であっても安心して大画面でその画像情報を楽しむことができる
。
【発明の実施の形態】
以下、本発明の実施の形態を図面に基づき説明する。なお、以下実施形態を説明するにあたっては、電子機器の例としてデジタルカメラを中心に説明するが、これに限られるものではない。
【００１７】
図１は本発明の第１の実施形態に係るデジタルカメラの操作部から見た概略斜視図、図２はデジタルカメラの撮像部側から見た概略斜視図、図３はデジタルカメラの制御部を中心とするブロック図、図４はデジタルカメラの再生操作の全体のフローチャート図、図５はデジタルカメラの外部出力に関する部分フローチャート図、図６はＨＡＢのスクロールの説明図、図７はＨＡＢのスクロールの仮想的画面の説明図、図８は外部機器に出力されるメッセージの説明図、図９はＨＡＢの拡大の説明図及び図１０はデジタルカメラのメニュー画面の説明図である。
【００１８】
図１に示すように電子機器は、例えばデジタルカメラ１であり、そのデジタルカメラ１は可搬性の記録媒体２が着脱可能となっている。また、デジタルカメラ１はテレビ３と接続が可能となっている。
【００１９】
ここで、可搬性の記録媒体２は記録素子として例えばフラッシュメモリを用いた記録媒体をいう（以下単に「記録媒体」という。）。
【００２０】
テレビ３は例えばＡＶ信号入力端子４を有し、そのＡＶ信号入力端子４とデジタルカメラ１のＡＶ信号出力端子とをケーブルでつないで、デジタルカメラ１からの画像情報をテレビの表示画面５で見ることができるようになっている。なお、デジタルカメラ１とテレビ３との接続はケーブルに限られるわけではなく、無線で繋ぐ方式（Ｂｌｕｅｔｏｏｔｈなど）でもよい。
【００２１】
デジタルカメラ１は、例えば図１及び図２に示すようにカメラ本体６、カメラ本体６の側面に閉じ込むように回転可能な表示部７を有する。
【００２２】
また、カメラ本体６は例えば図３に示すように操作情報や映像情報、音響情報などを入出力する入出力部８、記録媒体２やテレビ３などとの情報のやり取りをするインターフェース部９、テレビ３などへの出力を規制する出力制御部１０及び情報の入出力や選択などのデジタルカメラ１全体の動作を制御する制御部１１などを備えている。
【００２３】
更に入出力部８は、例えばデジタルカメラ１を操作する操作部１２、被写体を撮像し電気信号に変換し処理する撮像部１３、音響情報と電気信号との変換や処理をする音響部１４及びカメラ本体６の移動を感知するセンサ部１５などを有する。
【００２４】
ここで、操作部１２は例えば図１及び図２に示すようにカメラ本体６のレンズが配置された正面と反対側の側面（カメラ本体背面）にリング式ダイヤル１６、その中央に配置されたアクションボタン１７が設けられている。リング式ダイヤル１６は、例えば表示部７に表示されたボタンなどをマウスのように選択するものであり、ＨＡＢのように画面上をスクローすることもできる。アクションボタン１７は例えば２段階に押し込めるようになっており、ＰＬＡＹやＲＥＣ、シャッターなどを選択できる。
【００２５】
また、リング式ダイヤル１６の下には例えばモードダイヤル１８、更にモードダイヤル１８の中央に配置されたファンクションボタン１９及びパワースイッチ２０が設けられている。ここで、モードダイヤル１８は静止画撮像モードや動画撮像モード及び再生モードなどを選択するためのものである。更にファンクションボタン１９は例えば２段階に押し込めるようになっており、ＭＥＮＵなどを選択でき、パワースイッチ２０は電源の投入などができる。
【００２６】
カメラ本体６のレンズ側には操作部１２のズームスイッチ２１などが設けられている。ここで、ズームスイッチ２１は被写体をズームアップしたり、表示部７の表示画面に表示された動画を静止画に切り替えたりするときなどに用いられる。
【００２７】
また、撮像部１３は例えば被写体の像を結ぶレンズ２２、レンズ２２からの結像を電気信号に変える図示しない撮像素子２３及びその撮像素子２３からの電気信号を処理する画像処理部などを備える。ここで、撮像素子２３は例えばＣＣＤ（Ｃｈａｒｇｅ  Ｃｏｕｐｌｅｄ  Ｄｅｖｉｃｅ）であり、多数の受光素子により構成されている。
【００２８】
更に音響部１４は、例えば外部から音声などを取り入れ電気信号に変換するマイク２４や電気信号を音声などに変換するスピーカー２５などを有する。
【００２９】
また、センサ部１５は例えば図示しない角速度センサ２６及び加速度センサ２７などを有する。これら角速度センサ２６及び加速度センサ２７は、例えばユーザーがデジタルカメラ１を手に持って空間中を移動させたとき、それぞれ２軸方向及び３軸方向の角速度及び加速度を検出する素子である。
【００３０】
これによって、カメラ本体６の移動情報を電気信号化できることとなる。なお、角速度センサ２６及び加速度センサ２７は必ずしも両方備える必要はなくどちらか一方のみであってもよい。
【００３１】
インターフェース部９は、例えば図２及び図３に示すように記録媒体２及び外部機器のテレビ３などと制御部１１などとを接続するものであり、その記録媒体２をカメラ本体６に着脱できるようにメモリースロット２８やテレビ３のＡＶ信号入力端子４と接続できるようにＡＶ信号出力端子２９などを有する。
【００３２】
また、出力制御部１０は制御部１１の制御下ＨＡＢが有効か無効かにより、生成された静止画などの画像情報の例えばインターフェース部９のＡＶ信号出力端子２９からの外部への出力を制御するものである。
【００３３】
具体的にはＨＡＢが有効なときは、表示部７に表示される画像情報の外部への出力は停止され、ＨＡＢが無効なときは、表示部７に表示される画像情報の外部への出力はそのままなされることとなる。
【００３４】
次に制御部１１は、例えば図３に示すように演算と制御とをするＣＰＵ（Ｃｅｎｔｒａｌ  Ｐｒｏｃｅｓｓｉｎｇ  Ｕｎｉｔ）３０、必要に応じて一時的に画像情報、各種データ及びソフトなどを記録し、デジタルカメラ１の制御をより円滑に行うＤＲＡＭ（Ｄｙｎａｍｉｃ  Ｒａｎｄｏｍ  Ａｃｃｅｓｓ  Ｍｅｍｏｒｙ）３１、ＲＯＭ（Ｒｅａｄ  Ｏｎｌｙ  Ｍｅｍｏｒｙ）３２、データ格納部３３及び各種のソフトウェアが格納されたソフトウェア格納部３４等が備えられている。
【００３５】
ここで、データ格納部３３には例えば図３及び図８に示すようにテレビ３の表示画面５に必要なメッセージなどを表示できるようにそのメッセージなどがメッセージデータ３５として格納されている。勿論、図８のメッセージはその例に過ぎず他のメッセージであってもよいし、格納されるメッセージデータ３５は複数のメッセージであってもよい。これによって、例えばＨＡＢが働いてテレビ３に何の画像情報も出力されなくなっても、必要なメッセージを表示でき、見る者に余計な不安感を与えずにすむことができる。更に必要な手順も伝えることが可能となる。
【００３６】
また、ソフトウェア格納部３４には例えば図３に示すように入力情報読込み機構３６、撮像処理機構３７、再生機構３８、画像生成機構３９、画像表示機構４０、出力制御機構４１及び情報記録機構４２などが格納されている。
【００３７】
ここで、入力情報読込み機構３６はＣＰＵ３０の制御の下例えばインターフェース部９を介して入力された情報を読込み、その情報内容例えば記録媒体２に記録された静止画や動画などに関する情報を再生機構３８などに受け渡すことができる。
【００３８】
更に入力情報読込み機構３６は、ＣＰＵ３０の制御下例えば入出力部８の操作部１２のモードダイヤル１８などからの入力情報を読込み、静止画撮影モードや動画撮影モード及び再生モードなどの選択の情報などを撮像処理機構３７及び再生機構３８などに受け渡すこともできる。
【００３９】
また、撮像処理機構３７はＣＰＵ３０の制御下例えば撮像部１３の撮像素子２３からの電気信号をデジタル化し画像表示機構４０に受け渡すと共に、例えばＪＰＥＧ（Ｊｏｉｎｔ  Ｐｈｏｔｏｇｒａｐｈｉｃ  Ｅｘｐｅｒｔｓ  Ｇｒｏｕｐ）を用いて静止画を圧縮し、その圧縮された画像情報を一旦ＤＲＡＭ３１に記録することができる。
【００４０】
また、再生機構３８はＣＰＵ３０の制御下例えば操作部１２からの再生を指示する情報が入力情報読込み機構３６より伝えられると、記録媒体２に記録された静止画の画像情報などを入力情報読込み機構３６に読込ませ、その静止画の画像情報などを受取ることができる。
【００４１】
更に再生機構３８は、ＣＰＵ３０の制御下例えば入力情報読込み機構３６より伝えられる情報によりＨＡＢ機能を働かす、すなわちＨＡＢを有効にするか否か判断する。
【００４２】
その結果、ＨＡＢを有効にする場合はセンサ部１５の角速度センサ２６及び加速度センサ２７からデジタルカメラ１の電気信号化した移動情報を受け取り、その移動情報を画像生成機構３９に受け渡す。また、ＨＡＢを有効にするとの情報を出力制御機構４１に受け渡すことができる。
【００４３】
次に、画像生成機構３９はＣＰＵ３０の制御下例えば再生機構３８からＨＡＢを有効にするとの情報及びデジタルカメラ１の移動情報などを受け取り、そのデジタルカメラ１の移動に連動して変化する画像情報を生成し、その生成した画像情報などを画像表示機構４０に送ることができる。
【００４４】
また、画像生成機構３９はＣＰＵ３０の制御下例えば再生機構３８からＨＡＢを無効にする（ＨＡＢ機能を働かさないようにする）との情報を受取ったときは、入力情報読込み機構３６により読込まれた静止画の画像情報及び操作部１２からの操作情報などから表示部７に表示させる画像情報を生成し、その生成した画像情報などを画像表示機構４０に送ることができる。
【００４５】
ここで、ＨＡＢの基本的概念について図６及び図７を用いて簡単に説明する。
【００４６】
例えばユーザーが、図６で示すようにデジタルカメラ１を空間的にポジションＡからポジションＣまで移動させると、ユーザーの目には図７に示すような背景の全体画像４３が一望される形では表示されず、表示部７の表示画面を通して図６で示すように全体画像４３の部分的領域のみユーザーは見ることができる。
【００４７】
しかし、ユーザーがデジタルカメラ１を空間的にポジションＡからポジションＣまで移動させると、表示部７の表示画面に映し出される画像は図６に示すように、そのポジションに応じてダイナミックに変化する。
【００４８】
その結果、ユーザーは小型の表示画面しか有しないデジタルカメラ１を用いていながら、体感的には図７に示す全体画像４３のような仮想的画面を感じることができるようになる。これが、ＨＡＢと称せられるヒューマンインターフェースの基本的概念である。
【００４９】
例えば図６に示すように、デジタルカメラ１をポジションＡからポジションＣまでスクロールさせると、角速度センサ２６及び加速度センサ２７によりその移動が検出され、ＣＰＵ３０の制御下図７に示すように仮想的画面である全体画像４３を太い枠で囲まれた領域も同様にポジションＡからポジションＣまでスクロールされる。
【００５０】
これによって、小さい表示画面しかないデジタルカメラ１でも図７に示すように仮想的画面である全体画像４３を実質的に見ることが可能となる。
【００５１】
次に、画像表示機構４０はＣＰＵ３０の制御下例えば撮像処理機構３７から受取った画像情報を受取り、表示部７にモニター表示させることができる他、入力情報読込み機構３６からの情報に基づき画像生成機構３９で生成されたデジタルカメラ１の各操作の状況や各選択ボタンなどの画像情報を表示させることができる。
【００５２】
また、画像表示機構４０はＣＰＵ３０の制御下例えば画像生成機構３９から受取った記録媒体２に記録された静止画の画像情報及びセンサ部１５からのデジタルカメラ１の移動情報などにより生成された画像情報などを表示させることもできる。
【００５３】
更に出力制御機構４１は、ＣＰＵ３０の制御下例えば再生機構３８からＨＡＢを有効にするとの情報が伝えられたときは、デジタルカメラ１の移動に連動して表示部７に表示される変化する画像情報の外部機器への出力を停止させるように、出力制御部１０にその情報を受け渡す。
【００５４】
また、その場合に出力制御機構４１はＣＰＵ３０の制御下例えばデータ格納部３３に格納されたメッセージデータ３５から所定のメッセージを読み出し、画像生成機構３９に受け渡し、画像生成機構３９で生成されたメッセージ例えば図８に示すような画像情報をインターフェース部９のＡＶ信号出力端子２９から例えばテレビ３に出力させることができる。
【００５５】
これによって、ユーザーは無用な不安を持つことを防ぐことができるし、必要な処理方法についての情報も表示すればより迅速な処理が可能となる。
【００５６】
更に情報記録機構４２は、ＣＰＵ３０の制御下例えば撮像処理機構３７により一旦ＤＲＡＭ３１に記録された画像情報を読み出し、インターフェース部９を介して記録媒体２に出力し記録することができる。
【００５７】
表示部７は、画像情報などの表示として例えばカラー液晶表示装置が用いられ、そのカラー液晶表示装置の液晶パネルの表示画面４４が図１に示すように表示部７の一方の面に形成されている。
【００５８】
次に、以上のように構成された電子機器であるデジタルカメラ１の動作を、記録媒体２に記録された静止画の再生を中心に説明する。
【００５９】
まず、図１に示すようにデジタルカメラ１のＡＶ信号出力端子２９とテレビ３のＡＶ信号入力端子４とを例えばケーブルで繋いで、再生しようとする静止画が記録された記録媒体２をデジタルカメラ１のメモリースロット２８に装着する。
【００６０】
図４及び図５に示すように、デジタルカメラ１のパワースイッチ２０により電源を投入する（ＳＴ１０１）と、ＣＰＵ３０は入力情報読込み機構３６にメモリースロット２８に記録媒体２が装着されているか判断させる（ＳＴ１０２）。ＣＰＵ３０は、入力情報読込み機構３６がメモリースロット２８に記録媒体２が装着されていないと判断したときは、画像表示機構４０にエラー表示させる（ＳＴ１０３）。
【００６１】
更にユーザーが例えばモードダイヤル１８を静止画再生モードに設定する（ＳＴ１０４）。これが図５のＳＴ２０１に相当し、以下図５のフローチャート図を中心に説明する。
【００６２】
ＣＰＵ３０は入力情報読込み機構３６から操作情報などを受取り、その情報を再生機構３８に受け渡しＨＡＢを有効にするか否か判断させる（ＳＴ２０２）。
【００６３】
その判断方法は、操作部１２からの操作情報、例えばサムネイルの選択、画面中のある部分の拡大や縮小、更にはメニュー画面での選択などの特定の操作情報が再生機構３８に送られたときは、ＨＡＢを有効と判断し、それ以外の操作情報の場合はＨＡＢを無効とすることができる。これにより、判断の為の特別の回路等の必要がなくコストを軽減でき、処理も迅速化できる。
【００６４】
また、ＣＰＵ３０はＳＴ２０２で再生機構３８にＨＡＢが無効であると判断させたときは、入力情報読込み機構３６に記録媒体２の読込みをさせ、その読込まれた静止画の画像情報を画像生成機構３９に受け渡す。更に画像生成機構３９に、例えば表示部７に表示させる静止画の画像情報を生成させ、その画像情報を画像表示機構４０に受渡らせる。
【００６５】
また、ＣＰＵ３０はその静止画の画像情報を画像表示機構４０に表示部７の表示画面４４に表示させ（ＳＴ２０３）、更に他の画像情報の表示をするか否か例えば再生機構３８に判断させるためＳＴ２１８の前のステップに進ませる。
【００６６】
また、ＣＰＵ３０は出力制御機構４１に再生機構３８からのＨＡＢを無効にするとの情報を伝え、出力制御部１０により例えばインターフェース部９のＡＶ信号出力端子２９からテレビ３へ生成された静止画の画像情報を出力させる（ＳＴ２０４）。
【００６７】
更にテレビ３は、静止画の画像情報をＡＶ信号入力端子４より受信し（ＳＴ２０５）、その静止画の画像情報を大画面の表示画面５に表示することとなる（ＳＴ２０６）。これにより、テレビ３の大画面を見る者はＨＡＢ機能付のデジタルカメラ１で再生された画像情報であっても安心して見ることができるようになる。
【００６８】
次に、ＣＰＵ３０はＳＴ２０２で再生機構３８にＨＡＢが有効であると判断させたときは、入力情報読込み機構３６に記録媒体２の読込みをさせ、その読込まれた静止画の画像情報及び操作部１２からの操作情報を画像生成機構３９に受け渡す。
【００６９】
更にＣＰＵ３０は、画像生成機構３９に例えば静止画のサムネイルが表示されたインデックス画面の画像情報を生成させ、その画像情報を画像表示機構４０に受渡らせる。また、ＣＰＵ３０は画像表示機構４０にそのインデックス画面の画像情報を表示部７の表示画面４４に表示させる（ＳＴ２０７）。これが図４のＳＴ１０５に相当する。
【００７０】
ここで、ＣＰＵ３０は出力制御機構４１に再生機構３８からのＨＡＢを有効にするとの情報を伝え、出力制御部１０により例えばデジタルカメラ１の移動に連動して表示部７に表示される変化する画像情報のインターフェース部９のＡＶ信号出力端子２９からテレビ３への出力を停止させる（ＳＴ２０８）。
【００７１】
また、ＣＰＵ３０は出力制御機構４１に表示部７に表示される変化する画像情報と別の画像情報を外部機器へ、例えばテレビ３へ出力させるか判断させる（ＳＴ２０９）。
【００７２】
出力制御機構４１が、例えば別の画像情報をテレビ３へ出力させないと判断したときは、テレビ３のＡＶ信号入力端子４には無信号となり表示画面５にはデジタルカメラ１の移動に連動して表示部７に表示される変化する画像情報は勿論、その他の画像情報も表示されない（ＳＴ２１０）。
【００７３】
更に出力制御機構４１が、別の画像情報をテレビ３へ出力させると判断したときは、例えばデータ格納部３３のメッセージデータ３５から所定のメッセージデータを読み出して画像生成機構３９に受け渡し、画像生成機構３９で生成されたメッセージ例えば図８に示すような画像情報をインターフェース部９のＡＶ信号出力端子２９からテレビ３に出力させる（ＳＴ２１１）。
【００７４】
更にテレビ３は、そのメッセージの画像情報をＡＶ信号入力端子４より受信し（ＳＴ２１２）、そのメッセージの画像情報を例えば図８に示すように大画面の表示画面５に表示することとなる（ＳＴ２１３）。これにより、例えばスクロール中の画像をＡＶ信号の出力端子経由で外部の大画面のテレビ３に表示させないようにできるだけでなく、なぜ画像情報が表示されないか等の事情説明や対応方法等のメッセージ等を外部の大画面に表示できるので、見る人に現在の状況が容易に把握できる等の利便性が高まる。
【００７５】
次に、ＨＡＢが有効であるときにユーザーがデジタルカメラ１を移動させると、ＣＰＵ３０は再生機構３８にセンサ部１５の角速度センサ２６及び加速度センサ２７からデジタルカメラ１の電気信号化した移動情報を受取らせ、その移動情報を画像生成機構３９に受け渡らせる（ＳＴ２１４）。これが図４のＳＴ１０６に相当する。
【００７６】
また、ＣＰＵ３０は画像生成機構３９に再生機構３８からＨＡＢを有効にするとの情報及びデジタルカメラ１の移動情報などを受取らせ、そのデジタルカメラ１の移動に連動して変化する画像情報を生成させ、その生成された画像情報を画像表示機構４０に送る。これにより、表示部７の表示画面４４に表示された画像もそのデジタルカメラ１の移動に連動して上下左右にスクロールされ変化する（ＳＴ２１５）。
【００７７】
そのスクロールにより、インデックス画面中の複数のサムネイルから所定のサムネイルを選択し（例えばホットスポットを移動させ）、ユーザーが操作部１２のアクションボタン１７を全押しすると（ＳＴ２１６（これが図４のＳＴ１０７に相当する。））、ＣＰＵ３０はその情報を操作部１２から入力情報読込み機構３６を介して再生機構３８に受け取らせる。
【００７８】
すると、ＣＰＵ３０は再生機構３８に選択されたサムネイルの標準サイズの静止画の画像情報を、例えば記録媒体２から入力情報読込み機構３６により読込ませてその画像情報を画像生成機構３９に受け渡らせ、表示部７の表示画面４４に表示させる静止画の画像情報を生成させる。また、画像生成機構３９はその生成された画像情報を画像表示機構４０に受け渡らせ、表示部７の表示画面４４に表示させる（ＳＴ２１７）。これが図４のＳＴ１０８に相当する。
【００７９】
ここで、ユーザーは例えば表示画面４４に表示されている静止画の所定部分を拡大させようとして操作部１２のズームスイッチ２１を入れるなどのスイッチ操作がある（ＳＴ２１８（これが図４のＳＴ１０９に相当する。））と、ＣＰＵ３０は再生機構３８に入力情報読込み機構３６からの操作情報を受取らせ、他のサムネイルの画像情報の表示をするか判断させる（ＳＴ２１９）。ここで、操作部１２からの操作情報により例えばインデックス画面に戻り再生機構３８に他のサムネイルの画像情報の表示をさせると判断させたときは、ＳＴ２０２の前に戻らせることとなる。
【００８０】
また、ＣＰＵ３０は再生機構３８に他のサムネイルの画像情報の表示をするものではないと判断させたときは、例えば表示画面４４に表示されている静止画の所定部分を拡大させるとの操作情報を入力情報読込み機構３６から受取ったときは、ＣＰＵ３０は再生機構３８にＨＡＢを有効にする操作情報と判断させる。
【００８１】
以下の動作は図４のフローチャート図で説明するが、図５のＳＴ２０２以下とほぼ同様なので詳細な説明は省略する。
【００８２】
まず、ＳＴ１０９のスイッチ操作のあと、ＣＰＵ３０はセンサ部１５の角速度センサ２６及び加速度センサ２７からデジタルカメラ１の電気信号化した移動情報を再生機構３８に受取らせ、デジタルカメラ１の移動によるＨＡＢ操作が行われる（ＳＴ１１０）。
【００８３】
また、ＣＰＵ３０は元の静止画の画像情報とその移動情報を画像生成機構３９に受け渡らせ、例えば図９示すように表示部７の表示画面４４にＤのような画像情報からその中心部分を拡大したＥのような拡大された画像情報を画像生成機構３９により生成させ、画像表示機構４０により表示部７の表示画面４４に表示させる（ＳＴ１１１）。
【００８４】
なお、このときもＨＡＢが有効と再生機構３８に判断されその情報が出力制御機構４１に伝えられているので、表示部７に表示されるような変化のある画像情報は、例えばテレビ３などの外部機器に出力されず、見る者が乗り物酔いのような状態になる恐れを防ぐことができる。勿論、この場合も図５のフローチャート図のＳＴ２１１からＳＴ２１３のように、所定のメッセージなどを出力させることなど可能である。
【００８５】
次に、ユーザーが例えば表示部７に静止画を表示するデジタルカメラ１の利用から他の操作をすることとしたときは、例えば操作部１２のファンクションボタン１９を半押しする（ＳＴ１１２）。
【００８６】
すると、ＣＰＵ３０はその操作情報を入力情報読込み機構３６に読込ませて再生機構３８に受け渡らせ、再生機構３８にＨＡＢを有効にさせるものか判断させる。
【００８７】
ここで、ＣＰＵ３０は再生機構３８が入力情報読込み機構３６からメニュー画面を表示画面４４に表示させるとの操作情報を受取ったときは、再生機構３８にＨＡＢを有効とさせる操作情報であると判断させる。
【００８８】
以下の動作は図４のフローチャート図で説明するが、図５のＳＴ２０２以下とほぼ同様なので詳細な説明は省略する。
【００８９】
まず、ＳＴ１１２のスイッチ操作のあと、ＣＰＵ３０は再生機構３８に入力情報読込み機構３６からの操作情報を画像生成機構３９に伝えさせ、画像生成機構３９に図１０に示すようなメニュー画面の画像情報を生成させる。
【００９０】
また、ＣＰＵ３０は画像生成機構３９に生成された画像情報を画像表示機構４０に受け渡らせ、画像表示機構４０により表示部７に図１０で示すように表示画面４４に表示させる（ＳＴ１１３）。
【００９１】
更にＣＰＵ３０は、センサ部１５の角速度センサ２６及び加速度センサ２７からデジタルカメラ１の電気信号化した移動情報を再生機構３８に受取らせ、デジタルカメラ１の移動によるＨＡＢ操作が行われる（ＳＴ１１４）。
【００９２】
また、ＣＰＵ３０は元の画像情報とその移動情報を画像生成機構３９に受け渡らせ、例えば所望のメニューを選択するようにメニュー画面上をスクロールさせる。
【００９３】
なお、このときもＨＡＢが有効と再生機構３８に判断されその情報が出力制御機構４１に伝えられているので、表示部７に表示されるような変化のある画像情報は、例えばテレビ３などの外部機器に出力されず、見る者が乗り物酔いのような状態になる恐れを防ぐことができる。勿論、この場合も図５のフローチャート図のＳＴ２１１からＳＴ２１３のように、所定のメッセージなどを出力させることなど可能である。
【００９４】
更にＣＰＵ３０は、スクロールされた画像情報を画像生成機構３９により生成させ、画像表示機構４０により表示部７の表示画面４４に選択するメニューとして表示させる。また、ＣＰＵ３０は例えばアクションボタン１７が全押しされたとの操作情報を入力情報読込み機構３６から再生機構３８に受け渡らせ、そのメニューを実行させる（ＳＴ１１５）。
【００９５】
以上で電子機器であるデジタルカメラ１の動作の説明を終了する。
【００９６】
このように本実施形態によれば、表示部７に表示される画像情報を当該機器、例えばデジタルカメラ１の移動に連動して変化させる場合は、その変化する画像情報を外部に出力する出力手段例えばＡＶ信号出力端子２９による出力を制御する手段を具備することとしたので、通常の画像を今まで通りＡＶ信号出力端子２９経由で外部の大画面の画像表示装置例えばテレビ３に表示できる一方で、例えばＨＡＢ機能によるスクロール中の画像は、ＡＶ信号出力端子２９経由で外部の大画面のテレビ３に表示させることを制御できる。これにより、例えば電子機器であるデジタルカメラ１のＡＶ信号出力端子２９経由で外部の大画面の画像表示装置を見る人に、船酔いのような状態にさせることがなくなり、ＨＡＢ機能付の電子機器であっても安心して大画面でその画像情報を楽しむことができる。
【００９７】
また、例えばメッセージ情報を予め記録するデータ格納部３３を有し、ＨＡＢが有効であるときに表示部７の表示画面４４に表示される画像の替わりに、そのメッセージをＡＶ信号出力端子２９により出力させることとしたので、例えばスクロール中の画像をＡＶ信号出力端子２９経由で外部の大画面のテレビ３に表示させないようにできるだけでなく、なぜ画像情報が表示されないか等の事情説明や対応方法等のメッセージ等を外部の大画面に表示できるので、見る人に現在の状況が容易に把握できる等の利便性が高まる。
【００９８】
更に仮想的画面上を当該機器例えばデジタルカメラ１の移動に連動してスクロールするときに、仮想的画面及びその仮想的画面上にスクロールさせて表示部７に表示される画像情報の領域を定める枠を、ＡＶ信号出力端子２９より外部の大画面の画像表示装置例えばテレビ３に表示させることとしたので、例えばスクロールして表示部７の表示画面４４に表示される領域を定める枠は、図７に示すようにその領域を含む仮想的画面上を移動するだけでその枠の中に表示される画像情報も含め、周りの仮想的画面は変化しないので、テレビ３の大画面を見る者も船酔いを心配せず安心してその画像情報を楽しむことができる。しかも、本体の移動に連動して枠が移動するので、今どこを選択しているのかなどを外部の大画面を見る者も知ることができることとなる。
【００９９】
また、表示部７に表示される画像情報を当該機器例えばデジタルカメラ１の移動に連動して変化させる場合は、その変化する画像情報を外部に出力するステップ例えばＡＶ信号出力端子２９による出力を制御するステップを具備することとしたので、通常の画像を今まで通りＡＶ信号出力端子２９経由で外部の大画面の画像表示装置例えばテレビ３に表示できる一方で、例えばＨＡＢ機能によるスクロール中の画像は、ＡＶ信号出力端子２９経由で外部の大画面のテレビ３に表示させることを制御できる。これにより、例えば電子機器であるデジタルカメラ１のＡＶ信号出力端子２９経由で外部の大画面のテレビ３を見る人に、船酔いのような状態にさせることがなくなり、ＨＡＢ機能付の電子機器であっても安心して大画面でその画像情報を楽しむことができる。
【０１００】
尚、本発明は上述したいずれの実施形態にも限定されず、本発明の技術思想の範囲内で適宜変更して実施できる。
【０１０１】
例えば上述した実施形態では、ＣＰＵ３０は操作部１２からの操作情報により一義的に再生機構３８にＨＡＢを有効とするか否か判断させたが、これに限られるものではなく、例えば電子機器であるデジタルカメラ１の単位時間当たりの移動量が所定の閾値を超えるとＨＡＢを有効とし、その閾値を超えないときはＨＡＢを無効とすることとしてもよい。これにより、より細かく見る人の実情に対応できカスタマイズ化が図れることとなる。
【０１０２】
また、上述した実施形態では表示させる画像情報自体によりＨＡＢを有効にするか否かは判断されなかったがこれに限られるものではなく、例えば表示させる画像情報の中にＨＡＢを有効にさせたり、無効にさせたりする情報が組み込まれており、その情報により電子機器での再生の際に外部への出力を制御させてもよい。これにより、コンテンツなどの画像情報を電子機器で再生し外部の大画面テレビなどで表示させるときに、見る者に乗り物酔いのような状態にさせるおそれのある画像情報は外部に出力されないようにでき、安心してみることができるようになる。
【０１０３】
更に上述した実施形態では、ＣＰＵ３０が操作部１２からの操作情報により一義的に再生機構３８にＨＡＢを有効とするか否か判断させたが、これに限られるものではなく、例えばユーザーが操作部１２の操作によりＨＡＢを強制的に有効にさせたり、無効にさせたりできるようにしてもよい。これにより、より見る側の個人差に対応した乗り物酔いのような状態の防止策がとれる。
【０１０４】
また、上述した実施形態では電子機器例えばデジタルカメラ１の移動に連動して画像情報が変化しＨＡＢが有効な場合に、外部への出力を制御させたがこれに限られるものではなく、例えば操作部１２のリング式ダイヤル１６によりスクロールさせる場合も、それにより変化する画像情報の外部への出力を制御するようにしてもよい。これにより、より見る者に乗り物酔いのような状態にさせるおそれのある画像情報は外部に出力されないようにでき、安心してみることができるようになる。
【０１０５】
【発明の効果】
以上説明したように、本発明ではＨＡＢの機能を活用しながら外部の画像表示装置で見る人に気分が悪くなる虞をなくせることとなる。
【図面の簡単な説明】
【図１】本発明の第１の実施形態に係るデジタルカメラの操作部から見た概略斜視図である。
【図２】本発明の第１の実施形態に係るデジタルカメラの撮像部側から見た概略斜視図である。
【図３】本発明の第１の実施形態に係るデジタルカメラの制御部を中心とするブロック図である。
【図４】本発明の第１の実施形態に係るデジタルカメラの再生操作の全体のフローチャート図である。
【図５】本発明の第１の実施形態に係るデジタルカメラの外部出力に関する部分フローチャート図である。
【図６】本発明の第１の実施形態に係るＨＡＢのスクロールの説明図である。
【図７】本発明の第１の実施形態に係るＨＡＢのスクロールの仮想的画面の説明図である。
【図８】本発明の第１の実施形態に係る外部機器に出力されるメッセージの説明図である。
【図９】本発明の第１の実施形態に係るＨＡＢの拡大の説明図である。
【図１０】本発明の第１の実施形態に係るデジタルカメラのメニュー画面の説明図である。
【符号の説明】
１  デジタルカメラ
２  記録媒体
３  テレビ
４  ＡＶ信号入力端子
５、４４  表示画面
６  カメラ本体
７  表示部
８  入出力部
９  インターフェース部
１０  出力制御部
１１  制御部
１２  操作部
１３  撮像部
１４  音響部
１５  センサ部
１６  リング式ダイヤル
１７  アクションボタン
１８  モードダイヤル
１９  ファンクションボタン
２０  パワースイッチ
２１  ズームスイッチ
２２  レンズ
２３  撮像素子
２４  マイク
２５  スピーカー
２６  角速度センサ
２７  加速度センサ
２８  メモリースロット
２９  ＡＶ信号出力端子
３０  ＣＰＵ
３１  ＤＲＡＭ
３２  ＲＯＭ
３３  データ格納部
３４  ソフトウェア格納部
３５  メッセージデータ
３６  入力情報読込み機構
３７  撮像処理機構
３８  再生機構
３９  画像生成機構
４０  画像表示機構
４１  出力制御機構
４２  情報記録機構
４３  全体画像
【図１】
2005004081.tif 000003
【図２】
2005004081.tif 000004
【図３】
2005004081.tif 000005
【図４】
2005004081.tif 000006
【図５】
2005004081.tif 000007
【図６】
2005004081.tif 000008
【図７】
2005004081.tif 000009
【図８】
2005004081.tif 000010
【図９】
2005004081.tif 000011
【図１０】
2005004081.tif 000012